(57)【要約】【課題】  網外からの信号による着信制御機能を持たない通信網がＬＡＮ側通信網に適用されている場合でも、網外の端末機からの着信要求によるＬＡＮへのリモート回線接続を行うこと。【解決手段】  網外からの信号による着信制御機能を持たない特定通信網４を接続回線とするＬＡＮ７が、当該ＬＡＮ７に対して接続を要求するＤＴＥ（データ端末機）１１〜１４があるかどうかをパケット交換ゲートウェイ８にＴ１時間間隔でポーリングにより確認する機能を持つＬＡＮ側接続装置６と、ＬＡＮ７に対するＤＴＥ１１〜１４からの接続要求を受けると、接続要求を最大でＴ２時間保留し、Ｔ２≧Ｔ１とする制御機能を持つパケット交換ゲートウェイ８を有する。そして、特定通信網４を接続回線としても、ＤＴＥ１１〜１４からＬＡＮ７ヘリモート回線接続を可能とする。【選択図】      図１
2005217510.tif 000002
【特許請求の範囲】
【請求項１】
網外からの信号による着信制御機能を持たない特定通信網を接続回線とするローカルエリアネットワークであるＬＡＮと、このＬＡＮに対して端末機から接続要求を行うことによって、端末機とＬＡＮとを回線接続するリモートＬＡＮ接続システムにおいて、
前記ＬＡＮと前記特定通信網との間に接続され、前記ＬＡＮに対して接続要求を行う端末機があるかどうかを確認するためのポーリングを一定時間間隔で行うＬＡＮ側接続装置と、
前記特定通信網と前記端末機との間に接続され、前記端末機から前記ＬＡＮに対する接続要求情報を受信すると、この接続要求情報を予め定められた前記ポーリングを行う時間間隔以上の時間で保留し、この保留中に前記ポーリングが行われた場合に、前記端末機を前記ＬＡＮ側接続装置を介して前記ＬＡＮに回線接続するゲートウェイ装置と
を備えたことを特徴とするリモートＬＡＮ接続システム。
【請求項２】
前記ゲートウェイ装置は、前記端末機と回線接続中の前記ＬＡＮに対して、他の端末機から接続要求が行われ、この接続要求情報を受信した際に、前記他の端末機を同ＬＡＮに回線接続する
ことを特徴とする請求項１に記載のリモートＬＡＮ接続システム。
【請求項３】
網外からの信号による着信制御機能を持たない特定通信網を接続回線とするローカルエリアネットワークであるＬＡＮに対する接続要求情報を端末機から受信し、この受信された接続要求情報を予め定められた時間保留し、この保留中の接続要求情報があるかどうかを確認するためのポーリングが、当該保留中に、前記ＬＡＮと前記特定通信網との間に接続されたＬＡＮ側接続装置から行われた際に、前記端末機を前記ＬＡＮ側接続装置を介して前記ＬＡＮに回線接続するように成された
ことを特徴とするゲートウェイ装置。
【請求項４】
前記端末機と回線接続中の前記ＬＡＮに対して、他の端末機から接続要求が行われ、この接続要求情報を受信した際に、前記他の端末機を同ＬＡＮに回線接続する
ことを特徴とする請求項３に記載のゲートウェイ装置。
【発明の詳細な説明】
【技術分野】
【０００１】
本発明は、網外からの信号による着信制御機能を持たない通信網が適用されたリモートＬＡＮ接続システム及びゲートウェイ装置に関する。
【背景技術】
【０００２】
現在、自宅や外出先の端末機から携帯電話やＰＨＳ(Personal Handyphone System)、ＩＳＤＮ(Integrated Service Digital Network)などの通信網を利用して、企業ＬＡＮ(Local Area Network)との間でデータ通信を可能とするリモートＬＡＮ接続システムが運用されている。
これらのリモートＬＡＮ接続システムの一般的な構成として、端末機が接続された通信網と企業ＬＡＮをＩＳＤＮなどの企業側通信網で各々接続した形態のものがある。
【０００３】
このリモートＬＡＮ接続システムでは、端末機からＬＡＮへの接続要求を端末機側通信網が受け取ると、ＬＡＮと接続されているＬＡＮ側通信網へ着信要求を行い、要求を受け付けたＬＡＮ側通信網からＬＡＮに対して着信要求を行う。これにより、端末機及びＬＡＮとの通信回線をそれぞれ確立し、端末機とＬＡＮ間の通信を実現するようになっている。
この種の従来の通信装置として、例えば特許文献１に記載のものがある。
【特許文献１】特開２００１−２０３７４０号公報
【発明の開示】
【発明が解決しようとする課題】
【０００４】
しかし、従来のリモートＬＡＮ接続システムにおいて、網外からの信号による着信制御機能を持たない通信網がＬＡＮ側通信網として適用されている場合は、端末機から着信要求を行ってＬＡＮへ接続する際に、ＬＡＮ側通信網が着信制御機能を持たないので、端末機からＬＡＮ側通信網を介してＬＡＮにリモート回線接続することができないという問題がある。
本発明は、このような課題に鑑みてなされたものであり、網外からの信号による着信制御機能を持たない通信網がＬＡＮ側通信網に適用されている場合でも、網外の端末機からの着信要求によるＬＡＮへのリモート回線接続を行うことができるリモートＬＡＮ接続システム及びゲートウェイ装置を提供することを目的としている。
【課題を解決するための手段】
【０００５】
上記目的を達成するために、本発明の請求項１によるリモートＬＡＮ接続システムは、網外からの信号による着信制御機能を持たない特定通信網を接続回線とするローカルエリアネットワークであるＬＡＮと、このＬＡＮに対して端末機から接続要求を行うことによって、端末機とＬＡＮとを回線接続するリモートＬＡＮ接続システムにおいて、前記ＬＡＮと前記特定通信網との間に接続され、前記ＬＡＮに対して接続要求を行う端末機があるかどうかを確認するためのポーリングを一定時間間隔で行うＬＡＮ側接続装置と、前記特定通信網と前記端末機との間に接続され、前記端末機から前記ＬＡＮに対する接続要求情報を受信すると、この接続要求情報を予め定められた前記ポーリングを行う時間間隔以上の時間で保留し、この保留中に前記ポーリングが行われた場合に、前記端末機を前記ＬＡＮ側接続装置を介して前記ＬＡＮに回線接続するゲートウェイ装置とを備えたことを特徴としている。
【０００６】
この構成によれば、ＬＡＮ側接続装置から特定通信網を介したポーリングによってゲートウェイ装置に端末機からの接続要求情報が保留されているからどうかを確認し、保留されていれば端末機とＬＡＮとを回線接続するようにしたので、ＬＡＮが網外からの信号による着信制御機能を持たない特定通信網を接続回線とする構成においても、網外の端末機とＬＡＮとを特定通信網を介して回線接続させて通信させることができる。
【０００７】
また、本発明の請求項２によるリモートＬＡＮ接続システムは、請求項１において、前記ゲートウェイ装置は、前記端末機と回線接続中の前記ＬＡＮに対して、他の端末機から接続要求が行われ、この接続要求情報を受信した際に、前記他の端末機を同ＬＡＮに回線接続することを特徴としている。
この構成によれば、端末機と回線接続中のＬＡＮに対して他の端末機から接続要求があった場合は、同ＬＡＮのＬＡＮ側接続装置はゲートウェイ装置に対してポーリングによる接続要求の確認を既に行っているので、このポーリングの処理を省略することによって、他の端末機とＬＡＮ側接続装置を介したＬＡＮとの回線接続を、短時間で行うことが可能となる。
【０００８】
また、本発明の請求項３によるゲートウェイ装置は、網外からの信号による着信制御機能を持たない特定通信網を接続回線とするローカルエリアネットワークであるＬＡＮに対する接続要求情報を端末機から受信し、この受信された接続要求情報を予め定められた時間保留し、この保留中の接続要求情報があるかどうかを確認するためのポーリングが、当該保留中に、前記ＬＡＮと前記特定通信網との間に接続されたＬＡＮ側接続装置から行われた際に、前記端末機を前記ＬＡＮ側接続装置を介して前記ＬＡＮに回線接続するように成されたことを特徴としている。
【０００９】
この構成によれば、ＬＡＮ側接続装置から特定通信網を介したポーリングによってゲートウェイ装置に端末機からの接続要求情報が保留されているからどうかが確認された際に、接続要求情報が保留されていれば、ゲートウェイ装置によって端末機とＬＡＮとを回線接続するようにしたので、ＬＡＮが網外からの信号による着信制御機能を持たない特定通信網を接続回線とする構成においても、網外の端末機とＬＡＮとを特定通信網を介して回線接続させて通信させることができる。
【００１０】
また、本発明の請求項４によるゲートウェイ装置は、請求項３において、前記端末機と回線接続中の前記ＬＡＮに対して、他の端末機から接続要求が行われ、この接続要求情報を受信した際に、前記他の端末機を同ＬＡＮに回線接続することを特徴としている。
この構成によれば、端末機と回線接続中のＬＡＮに対して他の端末機から接続要求があった場合は、同ＬＡＮのＬＡＮ側接続装置はゲートウェイ装置に対してポーリングによる接続要求の確認を既に行っているので、このポーリングの処理を省略することによって、他の端末機とＬＡＮ側接続装置を介したＬＡＮとの回線接続を、短時間で行うことが可能となる。
【発明の効果】
【００１１】
以上説明したように本発明によれば、網外からの信号による着信制御機能を持たない通信網がＬＡＮ側通信網に適用されている場合でも、網外の端末機からの着信要求によるＬＡＮへのリモート回線接続を行うことができるという効果がある。
【発明を実施するための最良の形態】
【００１２】
以下、本発明の実施の形態を、図面を参照して説明する。
図１は、本発明の実施の形態に係るリモートＬＡＮ接続システムの構成を示すブロック図である。
図１に示すリモートＬＡＮ接続システム１００の特徴は、網外からの信号による着信制御機能を持たない通信網（以降、特定通信網と称す）４を接続回線とするＬＡＮ７が、当該ＬＡＮ７に対して接続を要求する端末機（ＤＴＥ：データ端末機）１１，１２，１３，１４があるかどうかをパケット交換ゲートウェイ（ゲートウェイ装置）８にＴ１時間間隔でポーリングにより確認する機能を持つＬＡＮ側接続装置６と、ＬＡＮ７に対するＤＴＥ１１〜１４からの接続要求の情報を受けると、接続要求情報を最大でＴ２時間保留し、保留時間Ｔ２≧ポーリング時間間隔Ｔ１とする制御機能を持つパケット交換ゲートウェイ８を具備する。そして、特定通信網４を接続回線としても、ＤＴＥ１１〜１４からＬＡＮ７ヘリモート回線接続を可能とするようにしたことにある。なお、接続要求情報は、単に接続要求と表現する場合もある。
【００１３】
図１において、通信網１は、例えばＣＤＭＡ(CodeDivision MulＴ１ple Access)方式によりＤＴＥ１１，１２及び基地局（ＭＳ）１５，１６間の無線接続を行なう通信網である。また、通信網２は、例えばＩＳＤＮ網を介してＩＳＤＮモデム１７，１８とＩＳＤＮ用交換機との有線接続を行なう通信網である。リモートＬＡＮ接続サービスを利用可能な通信網はこれ以外にも存在するが、図面の煩雑を防止するため、図１では２つの通信網１，２のみを図示している。
【００１４】
通信網１又は通信網２を介して他通信装置と通信を行うＤＴＥ１１〜１４が接続されている。各ＤＴＥ１１〜１４は、各々に接続された通信網１，２を介して、他のＤＴＥ間のデータ通信を行なうことができる。
また、通信網１及び２には、それぞれ外部通信網接続用ゲートウェイ３が接続されている。外部通信網接続用ゲートウェイ３は、ＤＴＥ１１〜１４から他網への発信及び他網からＤＴＥ１１〜１４への着信を受け付け、相互に接続することを可能とする手段である。外部通信網接続用ゲートウェイ３は、通信網１及び２は当該通信網１，２から外部通信網への発信及び、外部通信網から当該通信網１，２への着信を制御する機能を有する。
【００１５】
図１に示す特定通信網４は、着信制御機能がない外部通信網接続用ゲートウェイ６を有しており、外部通信網への発信は可能であるが、外部通信網からの当該特定通信網４への着信要求は受付けることができない通信網である。
また、特定通信網４には、ＬＡＮ側接続装置６が接続されている。このＬＡＮ側接続装置６は、特定通信網４を介しても、各ＤＴＥ１１〜１４や他のＬＡＮ接続装置から当該ＬＡＮ側接続装置６へのリモート接続を行うことを可能とするものであり、これを可能とするため、当該ＬＡＮ側接続装置６に接続されたＬＡＮ７に対して接続を要求するＤＴＥ１１〜１４があるかどうかを、パケット交換ゲートウェイ８に対してＴ１時間間隔でポーリングするものである。
【００１６】
ＬＡＮ７は、ＬＡＮ側接続装置６に接続され、リモートＬＡＮ接続サービスを受けるユーザのＬＡＮである。ＬＡＮ７には、メールサーバ７ａやＷｅｂサーバ７ｂが接続されているものとする。
リモートＬＡＮ接続サービスを受けるＬＡＮ７は、これ以外にも存在するが、図面の煩雑を防止するため、１つのＬＡＮ７のみを図示した。ＬＡＮ７は、ＬＡＮ側接続装置６を介して、各ＤＴＥ１１〜１４及び他のＬＡＮ側接続装置を介したＬＡＮとの間でリモートＬＡＮ接続サービスを受けることができる。
【００１７】
パケット交換ゲートウェイ８は、通信網１，２を介したＤＴＥ１１〜１４及び特定通信網４を介したＬＡＮ接続装置６からそれぞれ接続要求を受け取り、各々の回線を接続し、ＤＴＥ１１〜１４とＬＡＮ７間のパケット通信を実現するものである。このパケット交換ゲートウェイ８は、特定通信網４を介したＬＡＮに対する接続要求を受けると、接続要求を最大でＴ２時間保留し、この保留時間Ｔ２とＬＡＮ側接続装置４からのポーリング時間間隔であるＴ１時間との関係をＴ１≦Ｔ２とする制御機能を有する。更に、パケット交換ゲートウェイ８は、ＤＴＥ１１〜１４及びＬＡＮ７間においてパケット通信を行うのに必要な期間のみ相互の回線を維持し、パケット転送終了後は回線を切断するようになっている。
【００１８】
このリモートＬＡＮ接続サービスを提供するための中心的な役割を果たすパケット交換ゲートウェイ８の構成例を図２に示し、その説明を行う。
パケット交換ゲートウェイ８は、ルータ部８ａと、制御部８ｂと、状態管理ＤＢ８ｃと、タイマ管理部８ｄとを備えて構成されている。
ルータ部８ａは、ＤＴＥ１１〜１４が回線接続される通信網１，２と、ＬＡＮ側接続装置６が回線接続される特定通信網４との双方に接続され、パケットの転送を行う。また、ルータ部８０１は、制御部８ｂと接続され、ＤＴＥ１１〜１４又はＬＡＮ側接続装置６が利用する特定通信網４の外部通信網接続用ゲートウェイ５と制御部８ｂとの間で遣り取りされる呼処理信号を中継する機能を有する。
【００１９】
制御部８ｂは、パケット交換ゲートウェイ８の呼処理において中心的な役割を果たし、ＤＴＥ１１〜１４及びＬＡＮ側接続装置６が利用する外部通信網接続用ゲートウェイ３とパケット交換ゲートウェイ８との間の呼処理信号を遣り取りする機能、並びに、状態管理ＤＢ８ｃ、タイマ管理部８ｄを参照・操作する機能を有する。
また、制御部８ｂは、パケット交換ゲートウェイ８に接続を要求する各ＤＴＥ１１〜１４及びＬＡＮ側接続装置６に係わる次の(1)〜(4)に記述する４つの状態を有する。
【００２０】
(1)待機状態…ＤＴＥ１１〜１４及びＬＡＮ側接続装置６からの接続要求を受け付ける状態。
(2)接続状態…ＤＴＥ１１〜１４及びＬＡＮ側接続装置６が接続中である状態。
(3)参照結果待ち状態…ＤＴＥ１１〜１４及びＬＡＮ側接続装置６からの接続要求を受け付けることによって、状態管理ＤＢ８ｃへ接続許可を与えてよいか問い合わせ、この結果待ちである状態。
(4)保留状態…ＤＴＥ１１〜１４からＬＡＮ側接続装置６への接続要求を保留している状態。
但し、制御部８ｂの詳細な動作については、後述のパケット交換ゲートウェイ８の接続要求受信時の動作において詳細に説明する。
【００２１】
次に、状態管理ＤＢ８ｃは、図３に示す接続中管理テーブル２１と保留中管理テーブル２２とを有する。
接続中管理テーブル２１は、現在接続中であるＬＡＮ７及びＤＴＥ１１〜１４のＬＡＮ側ＩＤ、端末側ＩＤ、端末側ＩＰアドレス、ＬＡＮ側ＩＰアドレスから構成されるリストを管理する。新たに接続が確立すると、接続中管理テーブル２１に当該リストを登録し、切断されると当該リストをテーブル２１から削除する。
保留中管理テーブル２２は、上記(4)の保留状態であり、(1)の待機状態にあるＬＡＮ側接続装置６のＬＡＮ側ＩＤと、ＤＴＥ１１〜１４の端末側ＩＤとから構成されるリストを管理する。ここでＬＡＮ側ＩＤ及び端末側ＩＤは、例えば電話番号などを利用し、ＬＡＮ側接続装置６又はＤＴＥ１１〜１４を一意に識別可能なものである。
【００２２】
次に、タイマ管理部８ｄは、ＬＡＮ側接続装置６からパケット交換ゲートウェイ８へのポーリング時間間隔Ｔ１を計時するポーリング計時タイマと、ＤＴＥ１１〜１４からのＬＡＮ側接続装置６への接続要求をパケット交換ゲートウェイ８が受信して保留する保留時間Ｔ２を計時する保留計時タイマとを有し、各タイマで計時される時間Ｔ１，Ｔ２を管理するための図４に示すタイマ管理リスト２３を有する。図４の例では、端末Ｎｏ．１１のＤＴＥに対してポーリング時間間隔Ｔ１が３０秒、保留時間Ｔ２が３５秒に定められている。端末Ｎｏ．１２のＤＴＥに対してはＴ１が３０秒、Ｔ２が３０秒に定められている。
【００２３】
つまり、パケット交換ゲートウェイ８は、そのタイマ管理部８ｄによってＴ１≦Ｔ２となるように保留計時タイマを制御することにより、特定通信網４を接続回線としても、ＤＴＥ１１〜１４からＬＡＮ７へリモート回線接続を可能とするようになされている。また、保留計時タイマが予め定められた保留時間Ｔ２を超えてタイマ満了となると、保留中管理テーブル２２から接続待ちのＤＴＥ１１〜１４を検索し、この接続要求を削除する。
【００２４】
次に、ＬＡＮ側接続装置６の構成例を図５に示し、その説明を行う。
本実施の形態では、ＬＡＮ側接続装置６の接続回線に特定通信網４を利用する場合においても、発・着信双方の処理を可能とするため、当該ＬＡＮ側接続装置６に対して接続を要求するＤＴＥ１１〜１４があるかどうかをパケット交換ゲートウェイ８に対してポーリング時間間隔Ｔ１でポーリングする機能を有することが必要である。次に、その機能を述べる。
【００２５】
ＬＡＮ側接続装置６は図５に示すように、通信網インタフェース６ａと、信号終端部６ｂと、ルータ部６ｃと、発信制御部６ｄとを備えて構成されている。信号終端部６ｂは、通信網インタフェース６ａを介して特定通信網４と接続され、その特定通信網４の制御信号、データ信号であるフレームを終端するものである。
ルータ部６ｃは、信号終端部６ｂから受け取るＩＰパケットをＬＡＮ７へルーティングするとともに、ＬＡＮ７から受け取るＩＰパケットを発信制御部６ｄへ転送する。
【００２６】
発信制御部６ｄは、ＬＡＮ側接続装置６がパケット交換ゲートウェイ８と接続中でない場合、信号終端部６ｂを介してパケット交換ゲートウェイ８にポーリング時間間隔Ｔ１でポーリングして接続要求があるかどうかを確認する機能を有する。
また、発信制御部６ｄは、図６の状態遷移図に示すように、待機状態３１においてポーリング計時タイマの時間Ｔ１が満了すると、ポーリング状態３２へ遷移し、特定通信網４を介してパケット交換ゲートウェイ８に対してポーリングを行い、ポーリング結果待ち状態３３へ遷移する。
【００２７】
ポーリング結果待ち状態３３において、パケット交換ゲートウェイ８より接続許可を受信すると通信中状態３４へ遷移する。一方、ポーリング結果待ち状態３３においてパケット交換ゲートウェイ８より接続拒否を受信すると、待機状態３１に遷移し、次回のポーリング計時タイマの時間Ｔ１の満了まで待機する。
各ＤＴＥ１１〜１４は、このＬＡＮ側接続装置６へ１台回線接続することにより、ＬＡＮ７側の通信網として特定通信網４を利用した場合においても、任意に当該ＬＡＮ７へ接続し、リモートＬＡＮ接続サービスの提供を受けることができるようになっている。
【００２８】
次に、パケット交換ゲートウェイ８における接続要求受信から接続確立までの動作を、図７及び図８に示すフローチャートを参照して説明する。図７は、ＤＴＥ１１〜１４（ここではＤＴＥ１１とする）からＬＡＮ側接続装置６への接続要求処理の流れを表すフローチャートである。図８は、ＬＡＮ側接続装置６からの接続要求（ポーリング）処理の流れを表すフローチャートである。
【００２９】
最初に、図７を参照する。パケット交換ゲートウェイ８の制御部８ｂは、ステップＳ１の待機状態において、ステップＳ２で、ＤＴＥ１１からＬＡＮ側接続装置６への接続要求を受け取ったとする。この場合、ステップＳ３において、接続中管理テーブル２１を参照して、接続要求の信号内に含まれる接続先のＬＡＮ側ＩＤのＬＡＮ側接続装置６が既に他のＤＴＥ１２〜１４と接続中であるかどうかを問い合わせ、ステップＳ４の参照結果待ち状態に遷移する。
【００３０】
この状態においてステップＳ５で参照結果を受信すると、ステップＳ６において、参照結果が他のＤＴＥ１２〜１４と通信中の登録ありか否かを判断する。この結果、登録ありの場合、即ち他のＤＴＥ１２〜１４と通信中である場合は、ステップＳ７において、ＤＴＥ１１へ接続許可を通知し、ＤＴＥ１１とパケット交換ゲートウェイ８との間のコネクションを形成し、また、接続中管理テーブル２１に本接続情報を接続中リストとして追加する。そして、ステップＳ８の接続状態へ遷移し、ステップＳ１に戻る。
【００３１】
一方、ステップＳ６の判断結果が、他のＤＴＥ１２〜１４と通信中でない場合は、保留中管理テーブル２２へ本接続要求情報を保留リストとして追加するとともに、タイマ管理部８ｄに保留計時タイマの起動を要求し、ステップＳ１０の保留状態へ遷移する。
そして、ステップＳ１１において、保留計時タイマがタイマ満了か否かを判断する。この結果、タイマ満了でない場合に、ステップＳ１２において、接続要求先のＬＡＮ側接続装置６から接続要求（ポーリング）があった場合は、ステップＳ７において、ＤＴＥ側へ接続許可を通知し、本接続情報を接続中管理テーブル２１に接続中リストとして追加し、先の保留リストを保留中管理テーブル２２から削除し、ステップＳ８の接続状態へ遷移する。
一方、タイマ満了の場合は、先の保留リストを保留中管理テーブル２２から削除し、ＤＴＥ１１へ接続拒否を通知し、ステップＳ１の待機状態へ戻る。
【００３２】
次に、図８を参照する。制御部８ｂは、ステップＳ２１の待機状態において、ステップＳ２２のＬＡＮ側接続装置６から接続要求（ポーリング）を受け取ると、ステップＳ２３で、接続要求信号に含まれる接続元のＬＡＮ側ＩＤに対する接続要求が保留中管理テーブル２２に保留リストとして登録されているか問い合わせ、ステップＳ２４の参照結果待ち状態へ遷移する。
【００３３】
この状態においてステップＳ２５で参照結果を受信すると、ステップＳ２６において、参照結果が保留リストとして登録ありか否かを判断する。この結果、登録ありの場合は、ステップＳ２７において、ＬＡＮ側接続装置６に対して接続許可を通知し、ステップＳ２８の接続状態へ遷移する。そして、ステップＳ２１の待機状態へ戻る。
一方、ステップＳ２６の結果、保留リストとして登録されていないと判断された場合は、ステップＳ２９において、ＬＡＮ側接続装置６へ接続拒否を通知し、ステップＳ２１の待機状態へ戻る。
【００３４】
次に、このような構成のリモートＬＡＮ接続システム１００の動作を、図９に示すシーケンス図を参照して説明する。図９は、ＬＡＮ側接続装置６からのポーリングとＤＴＥ１１，１２から当該ＬＡＮ側接続装置６への接続要求によってＤＴＥ１２とＬＡＮ７との間の通信路が確立するまでの過程を大略的に示すものである。
なお、ＬＡＮ側接続装置６及びＤＴＥ１１，１２からパケット交換ゲートウェイ８への接続要求時に、パケット交換ゲートウェイ８で行う一連の認証手順・内容については、上述のパケット交換ゲートウェイ８の構成例において既に説明済みのため、ここでは簡単に説明する。
【００３５】
まず、ＬＡＮ側接続装置６からパケット交換ゲートウェイ８に対してポーリングによる接続要求を行った結果、接続拒否となる場合の処理を説明する。
ステップＳ３１において、ＬＡＮ側接続装置６が、ＤＴＥ１１，１２と通信中でない場合に、特定通信網４を介してパケット交換ゲートウェイ８に対してポーリング時間間隔Ｔ１でポーリングによる接続要求を行ったとする。但し、その接続要求の信号には、ＬＡＮ側接続装置６のＬＡＮ側ＩＤが含まれている。
【００３６】
その接続要求を受けたパケット交換ゲートウェイ８に、そのＬＡＮ側接続装置６に対する接続要求を行うために保留中となっているＤＴＥ１１が登録されていない場合は、ステップＳ３２において、パケット交換ゲートウェイ８から特定通信網４を介してＬＡＮ側接続装置６に接続拒否を通知する。
次に、ＤＴＥ１１からＬＡＮ側接続装置６に対して接続要求を行った際に、パケット交換ゲートウェイ８が保留状態となる場合について説明する。
【００３７】
ステップＳ３３において、ユーザが任意のタイミングでＤＴＥ１１からＬＡＮ側接続装置６に対して接続要求を行ったとする。この接続要求は、まず、通信網１を介してパケット交換ゲートウェイ８に送信される。ここでＬＡＮ側接続装置６がパケット交換ゲートウェイ８と接続中でない場合は、パケット交換ゲートウェイ８は本接続要求を最大で保留時間Ｔ２だけ保留する。
【００３８】
次に、ＬＡＮ側接続装置６からパケット交換ゲートウェイ８に対してポーリングによる接続要求を行った結果、接続許可となる場合の処理を説明する。
ステップＳ３４において、ＬＡＮ側接続装置６が、ＤＴＥ１１，１２と通信中でない場合に、特定通信網４を介してパケット交換ゲートウェイ８に対してポーリング時間間隔Ｔ１でポーリングによる接続要求を行ったとする。但し、その接続要求の信号には、ＬＡＮ側接続装置６のＬＡＮ側ＩＤが含まれている。
その接続要求を受けたパケット交換ゲートウェイ８に、そのＬＡＮ側接続装置６に対する接続要求を行うために保留中となっているＤＴＥ１１が登録されている場合は、ステップＳ３５において、パケット交換ゲートウェイ８から特定通信網４を介してＬＡＮ側接続装置６に接続許可を通知する。
【００３９】
次に、保留状態のパケット交換ゲートウェイ８からＤＴＥ１１に対する接続許可が行われる場合の処理を説明する。
上記ステップＳ３４で説明したように、パケット交換ゲートウェイ８は、ＤＴＥ１１からのＬＡＮ側接続装置６に対する接続要求を保留時間Ｔ２での保留中に、当該ＬＡＮ側接続装置６からのポーリングを受けると、ステップＳ３６において、通信網１を介してＤＴＥ１１へ接続許可を通知する。更に説明すれば、パケット交換ゲートウェイ８が、保留時間Ｔ２とポーリング時間間隔Ｔ１とをＴ１≦Ｔ２と設定することによって、ＤＴＥ１１からの接続要求を保留中に、ＬＡＮ側接続装置６からポーリングを受けると、ＤＴＥ１１へ接続許可を通知することが可能となる。
【００４０】
次に、ＤＴＥ１１とＬＡＮ側接続装置６とがパケット交換ゲートウェイ８を介して通信コネクションを確立して、通信を行う場合の処理を説明する。
上記ステップＳ３５及びＳ３６で説明したように、ＤＴＥ１１及びＬＡＮ側接続装置６がパケット交換ゲートウェイ８から各々通信網１，４を介して接続許可を受けると、ステップＳ３７及びＳ３８において、ＤＴＥ１１とＬＡＮ側接続装置６とがパケット交換ゲートウェイ８との間に通信コネクションを確立する。つまり、ＤＴＥ１１とＬＡＮ側接続装置６との間に通信コネクションが確立し、ステップＳ３９において、通信中となる。
また、その通信コネクション確立の際に各通信網１，４からＤＴＥ１１及びＬＡＮ側接続装置６に割り当てられるＩＰアドレスがパケット交換ゲートウェイ８に通知され、パケット交換ゲートウェイ８はそれぞれのＩＰアドレスを管理して、ＩＰルーティングを行うことができる。
【００４１】
次に、他のＤＴＥ１２からＬＡＮ側接続装置６に対する接続要求を行って双方が通信中となる際の動作を説明する。
ステップＳ４０において、ユーザが任意のタイミングでＤＴＥ１２からＬＡＮ側接続装置６に対して接続要求を行ったとする。この接続要求は、通信網１を介してパケット交換ゲートウェイ８に送信される。
この時点で、接続要求先のＬＡＮ側接続装置６がパケット交換ゲートウェイ８と接続中である場合は、ステップＳ４１において、そのパケット交換ゲートウェイ８は保留状態とならず、通信網１を介してＤＴＥ１２に対して接続許可を通知する。そして、ステップＳ４２において、パケット交換ゲートウェイ８は、ＤＴＥ１２との間で通信コネクションを確立する。これによって、ステップＳ４３において、ＤＴＥ１２とＬＡＮ側接続装置６との通信が可能となる。
【００４２】
以上説明したように本実施の形態のリモートＬＡＮ接続システム１００によれば、ＬＡＮ側接続装置６から特定通信網４を介したポーリングによってパケット交換ゲートウェイ８にＤＴＥ１１からの接続要求情報が保留されているからどうかを確認し、保留されていればＤＴＥ１１とＬＡＮ７とをＬＡＮ側接続装置６を介して回線接続するようにした。従って、ＬＡＮ７が網外からの信号による着信制御機能を持たない特定通信網４を接続回線とする構成においても、網外のＤＴＥ１１とＬＡＮ７とを特定通信網４を介して回線接続させて通信させることができる。
【００４３】
また、ＤＴＥ１１と回線接続中のＬＡＮ７に対して他のＤＴＥ１２から接続要求があった場合は、同ＬＡＮ７のＬＡＮ側接続装置６はパケット交換ゲートウェイ８に対してポーリングによる接続要求の確認を既に行っているので、このポーリングの処理を省略するようにした。これによって、他のＤＴＥ１２とＬＡＮ側接続装置６を介したＬＡＮ７との回線接続を、短時間で行うことが可能となる。
【図面の簡単な説明】
【００４４】
【図１】本発明の実施の形態に係るリモートＬＡＮ接続システムの構成を示すブロック図である。
【図２】上記実施の形態に係るリモートＬＡＮ接続システムのパケット交換ゲートウェイの構成を示すブロック図である。
【図３】上記のパケット交換ゲートウェイの状態管理ＤＢにおける接続中管理テーブル及び保留中管理テーブルの一例を示す図である。
【図４】上記のパケット交換ゲートウェイのタイマ管理部のタイマ管理リストの一例を示す図である。
【図５】上記実施の形態に係るリモートＬＡＮ接続システムのＬＡＮ側接続装置の構成を示すブロック図である。
【図６】上記のＬＡＮ側接続装置における発信制御部の状態遷移図である。
【図７】上記実施の形態に係るリモートＬＡＮ接続システムにおけるＤＴＥからＬＡＮ側接続装置への接続要求処理の流れを表すフローチャートである。
【図８】上記実施の形態に係るリモートＬＡＮ接続システムにおけるＬＡＮ側接続装置からのポーリング処理の流れを表すフローチャートである。
【図９】上記実施の形態に係るリモートＬＡＮ接続システムにおけるＤＴＥとＬＡＮ間の回線接続動作を説明するためのシーケンス図である。
【符号の説明】
【００４５】
１，２  通信網
３  外部通信網接続用ゲートウェイ
４  特定通信網
５  着信制御機能なしの外部通信網接続用ゲートウェイ
６  ＬＡＮ側接続装置
６ａ  通信網インタフェース
６ｂ  信号終端部
６ｃ  ルータ部
６ｄ  発信制御部
７  ＬＡＮ
７ａ  メールサーバ
７ｂ  Ｗｅｂサーバ
８  パケット交換ゲートウェイ
８ａ  ルータ部
８ｂ  制御部
８ｃ  状態管理ＤＢ
８ｄ  タイマ管理部
１１〜１４  ＤＴＥ（データ端末機）
１５，１６  ＭＳ（無線基地局）
１７，１８  ＩＳＤＮモデム
２１  接続中管理テーブル
２２  保留中管理テーブル
２３  タイマ管理リスト
【図１】
2005217510.tif 000003
【図２】
2005217510.tif 000004
【図３】
2005217510.tif 000005
【図４】
2005217510.tif 000006
【図５】
2005217510.tif 000007
【図６】
2005217510.tif 000008
【図７】
2005217510.tif 000009
【図８】
2005217510.tif 000010
【図９】
2005217510.tif 000011